(57)【要約】【解決手段】櫛付き鋏は、互いに開閉動可能な両刃体３，４及び両柄部を有する鋏本体と、一方の刃体３に取付部１７で取り付けた櫛２とを備えている。両刃体３，４は、刃先１０ａと背部１１と裏面１２と表面１３とを備えている。櫛２の取付部１７は、挿着溝部２１と背側壁部１８と表側壁部１９と裏側壁部２０とを備えている。閉状態で他方の刃体４の裏面１２に面する各櫛歯１６を表側壁部１９から延設して一方の刃体３の刃先１０ａに沿って並べている。取付部１７の挿着溝部２１で一方の刃体３の表面１３と表側壁部１９との間には互いに嵌め込まれる凹条部１４と凸条部２４とを形成している。【効果】櫛２を小型化するとともに、取付部１７の挿着溝部２１と一方の刃体３との挿嵌、並びに、挿着溝部２１と一方の刃体３との間で形成した凹条部１４と凸条部２４との挿嵌とによる二重の挿嵌構造により、櫛２を一方の刃体３に対し強固に取り付けることができる。【選択図】図５
2004159962.tif 000002
【特許請求の範囲】
【請求項１】
互いに開閉動可能な両刃体及び両柄部を有する鋏本体と、この両刃体のうち少なくとも一方の刃体に対し取付部で取り付けた櫛とを備えた櫛付き鋏において、前記両刃体は、それぞれ、開状態で互いに対向する刃先と、この刃先に対し開閉動方向で反対側になる背部と、閉状態で互いに摺接する裏面と、この裏面に対し開閉動方向に対し直交する方向で反対側になる表面とを備え、
前記櫛の取付部は、前記一方の刃体がその刃先に沿って挿嵌される挿着溝部と、その挿着状態で前記一方の刃体の背部に面する背側壁部と、その挿着状態で前記一方の刃体の表面に面する表側壁部と、その挿着状態で前記一方の刃体の裏面に面する裏側壁部とを備え、閉状態で両刃体のうち他方の刃体の裏面に面する各櫛歯を前記表側壁部から延設して前記一方の刃体の刃先に沿って並べ、
前記取付部の挿着溝部で、前記一方の刃体の表面と前記表側壁部との間と、前記一方の刃体の裏面と前記裏側壁部との間とのうち、少なくとも一方で、この挿着溝部に前記一方の刃体をその刃先に沿って挿嵌し得るように案内するとともに、この取付部が前記一方の刃体からその背部側へ抜け落ちるのを阻止するように、互いに嵌め込まれる凹部と凸部とを形成したことを特徴とする櫛付き鋏。
【請求項２】
前記櫛は、前記取付部の挿着溝部と前記一方の刃体との挿嵌、並びに、この挿着溝部と一方の刃体との間で形成した凹部と凸部との挿嵌で、前記一方の刃体に対し着脱可能に取り付けられることを特徴とする請求項１に記載の櫛付き鋏。
【請求項３】
前記櫛の各櫛歯は、前記一方の刃体の刃先に対し両刃体の開閉動方向で隣接し、閉状態で前記裏側壁部に対し両刃体の開閉動方向で隣接する他方の刃体の裏面に対し近接して間隙をあけて面することを特徴とする請求項１または請求項２に記載の櫛付き鋏。
【請求項４】
前記裏側壁部の外側には、両刃体の裏面間の想定摺接面に対する前記他方の刃体の表面の距離よりも、この想定摺接面に対する距離を大きく設定した当接面を設けていることを特徴とする請求項１または請求項２または請求項３に記載の櫛付き鋏。
【請求項５】
前記挿着状態にある前記各櫛歯は閉状態で前記他方の刃体の背部から開閉動方向へ突出していることを特徴とする請求項１から請求項４のうちいずれかの請求項に記載の櫛付き鋏。
【請求項６】
前記挿着溝部は、前記一方の刃体がその先端側から挿入される開放部に対し反対側になる閉塞部を有し、この一方の刃体の先端側が挿着状態でこの閉塞部に面することを特徴とする請求項１から請求項５のうちいずれかの請求項に記載の櫛付き鋏。
【請求項７】
前記各櫛歯は、前記表側壁部から前記他方の刃体の裏面側へ屈曲された屈曲部と、この屈曲部からこの他方の刃体の裏面に沿って延設された延設部とを有し、この屈曲部に対し両刃体の開閉動方向で隣接する空隙をこの延設部に対し刃先に沿って隣接させ、
この表側壁部は、両刃体の裏面間の想定摺接面に対する前記一方の刃体の表面の距離よりも、この想定摺接面に対する距離を大きく設定した当接面を有していることを特徴とする請求項１から請求項６のうちいずれかの請求項に記載の櫛付き鋏。
【請求項８】
前記鋏本体において両刃体は開閉動中心部よりも先端側に設けられているとともに両柄部は開閉動中心部よりも基端側に設けられ、この両刃体は、それぞれ、開閉動中心部から延びる支持部と、この支持部から延びる刃部とを備え、他方の刃体では、刃部の背部を支持部の背部に対し背側へずらすとともに、刃部の腹部にある刃先を支持部の腹部に対し背側へずらし、
前記一方の刃体の刃先は閉状態で前記他方の刃体における刃先と背部との間に位置するとともに、前記他方の刃体の刃先は閉状態で前記一方の刃体における刃先と背部との間に位置し、前記一方の刃体の裏面は閉状態で他方の刃体の刃先と一方の刃体の背部との間で開放されて前記裏側壁部に面し、前記他方の刃体の裏面は閉状態で一方の刃体の刃先と他方の刃体の背部との間で開放されて前記各櫛歯に面していることを特徴とする請求項１から請求項７のうちいずれかの請求項に記載の櫛付き鋏。
【請求項９】
前記鋏本体において両刃体は開閉動中心部よりも先端側に設けられているとともに両柄部は開閉動中心部よりも基端側に設けられ、この両柄部に設けた把持部が閉状態で互いに当接する当接部とこの開閉動中心部とを結ぶ想定線に対し、前記挿着状態で前記各櫛歯の先端部間を結ぶ想定線を両刃体の開閉動方向へ傾斜させたことを特徴とする請求項１から請求項８のうちいずれかの請求項に記載の櫛付き鋏。
【請求項１０】
前記鋏本体において両刃体は開閉動中心部よりも先端側に設けられているとともに両柄部は開閉動中心部よりも基端側に設けられ、この両柄部に設けた把持部が閉状態で互いに当接する当接部とこの開閉動中心部とを結ぶ想定線に対し、一方の刃体の刃先の先端とこの開閉動中心部とを結ぶ想定線と、他方の刃体の刃先の先端とこの開閉動中心部とを結ぶ想定線とを、共に、両刃体の開閉動方向へ傾斜させたことを特徴とする請求項１から請求項９のうちいずれかの請求項に記載の櫛付き鋏。
【発明の詳細な説明】
【０００１】
【発明の属する技術分野】
本発明は、例えば眉毛を切る際に使用する櫛付き鋏に関するものである。
【０００２】
【従来の技術】
下記特許文献１においては、その図面に示すように、一方の刀身１に取り付けられるくし部材１０は、その内側部分１１で、刃部４に挿嵌される先端部分（各くし歯１５を含む部分）と、開閉中心軸部３の付近に挿嵌される基端部分（１４を含む部分）とからなる。このくし部材１０において、基端部分は、刀身１の背部に面する背部分（係止凹部１３を有する部分）と、刀身１の腹部に面する腹部分（係止凹部１３を有する部分）と、刀身１の表面に面する表部分とからなる。このくし部材１０において、先端部分は、刀身１の背部に面する背部分と、刀身１の表面に面する表部分（刃先４ａに隣接する各くし歯１５を有する部分）と、刃部４の先端にある係止突部９が係止される係止孔１２を有する係止部分とからなる。
【０００３】
【特許文献１】
実開平４−１１２３７３号公報
【０００４】
【発明が解決しようとする課題】
前記くし部材１０の基端部分や先端部分においては、いずれも、前記係止孔１２や係止凹部１３が設けられているが、開閉中心軸部３の付近の裏面及び刃部４の裏面に面する裏部分が形成されていない。そのため、開閉中心軸部３の付近及び刃部４がそれらの裏面側に動き易くなり、くし部材１０を開閉中心軸部３の付近及び刃部４に対し強固に取り付けることは難しい。また、前記くし部材１０のうち基端部分は、くし部材１０を小型化するために省略することが好ましい。そこで、刃部４に挿嵌される先端部分のみでくし部材１０を構成した場合、刃部４にくし部材１０をより一層強固に取り付けることが必要となる。
【０００５】
この発明は、櫛を小型化するとともに刃体に対し強固に取り付けることを目的としている。
【０００６】
【課題を解決するための手段及び発明の効果】
後記実施形態の図面（図１〜６）の符号を援用して本発明を説明する。
＊  請求項１の発明
この発明にかかる櫛付き鋏は、下記のように構成されている。
【０００７】
この櫛付き鋏においては、互いに開閉動可能な両刃体（３，４）及び両柄部（６，７）を有する鋏本体（１）と、この両刃体（３，４）のうち少なくとも一方の刃体（３）に対し取付部（１７）で取り付けた櫛（２）とを備えている。前記両刃体（３，４）は、それぞれ、開状態（Ｐ）で互いに対向する刃先（１０ａ）と、この刃先（１０ａ）に対し開閉動方向（Ｘ）で反対側になる背部（１１）と、閉状態（Ｑ）で互いに摺接する裏面（１２）と、この裏面（１２）に対し開閉動方向（Ｘ）に対し直交する方向（Ｙ）で反対側になる表面（１３）とを備えている。前記櫛（２）の取付部（１７）は、前記一方の刃体（３）がその刃先（１０ａ）に沿って挿嵌される挿着溝部（２１）と、その挿着状態で前記一方の刃体（３）の背部（１１）に面する背側壁部（１８）と、その挿着状態で前記一方の刃体（３）の表面（１３）に面する表側壁部（１９）と、その挿着状態で前記一方の刃体（３）の裏面（１２）に面する裏側壁部（２０）とを備えている。閉状態（Ｑ）で両刃体（３，４）のうち他方の刃体（４）の裏面（１２）に面する各櫛歯（１６）を前記表側壁部（１９）から延設して前記一方の刃体（３）の刃先（１０ａ）に沿って並べている。前記取付部（１７）の挿着溝部（２１）で、前記一方の刃体（３）の表面（１３）と前記表側壁部（１９）との間と、前記一方の刃体（３）の裏面（１２）と前記裏側壁部（２０）との間とのうち、少なくとも一方で、この挿着溝部（２１）に前記一方の刃体（３）をその刃先（１０ａ）に沿って挿嵌し得るように案内するとともに、この取付部（１７）が前記一方の刃体（３）からその背部（１１）側へ抜け落ちるのを阻止するように、互いに嵌め込まれる凹部（１４）と凸部（２４）とを形成している。例えば、一方の刃体（３）は、開閉動中心部（５）から延びる支持部（８）と、この支持部（８）から延びる刃部（９）とを備え、櫛（２）は一方の刃体（３）で刃先（１０ａ）を有する刃部（９）に取り付けられている。
【０００８】
この発明では、櫛（２）を小型化することができるとともに、取付部（１７）の挿着溝部（２１）と一方の刃体（３）との挿嵌、並びに、この挿着溝部（２１）と一方の刃体（３）との間で形成した凹部（１４）と凸部（２４）との挿嵌とによる二重の挿嵌構造により、櫛（２）を一方の刃体（３）に対し強固に取り付けることができる。
【０００９】
＊  請求項２の発明
この発明は、請求項１の発明を前提として下記のように構成されている。
前記櫛（２）は、前記取付部（１７）の挿着溝部（２１）と前記一方の刃体（３）との挿嵌、並びに、この挿着溝部（２１）と一方の刃体（３）との間で形成した凹部（１４）と凸部（２４）との挿嵌で、前記一方の刃体（３）に対し着脱可能に取り付けられる。この発明では、同一の鋏本体（１）を利用したまま、取付部（１７）を同一にして櫛歯（１６）の形態のみを異にした各種櫛（２）と必要に応じて交換することができる。従って、例えば眉毛を切る際にその眉毛の形態に応じて櫛を使い分けることができ、使用上便利である。
【００１０】
＊  請求項３の発明
この発明は、請求項１または請求項２の発明を前提として下記のように構成されている。
【００１１】
前記櫛（２）の各櫛歯（１６）は、前記一方の刃体（３）の刃先（１０ａ）に対し両刃体（３，４）の開閉動方向（Ｘ）で隣接し、閉状態（Ｑ）で前記裏側壁部（２０）に対し両刃体（３，４）の開閉動方向（Ｘ）で隣接する他方の刃体（４）の裏面（１２）に対し近接して間隙（Ｇ）をあけて面している。この発明では、両刃体（３，４）の開閉動時に他方の刃体（４）の裏面（１２）に各櫛歯（１６）が触れて擦れるのを防止することができるばかりではなく、他方の刃体（４）の裏面（１２）が各櫛歯（１６）に近接して開閉動されるので、取付部（１７）の表側壁部（１９）を眉毛等に向けて使用した場合、各櫛歯（１６）間から突出した眉毛等を各櫛歯（１６）で支えながら各櫛歯（１６）の付近で確実に切断することができる。
【００１２】
＊  請求項４の発明
この発明は、請求項１または請求項２または請求項３の発明を前提として下記のように構成されている。
【００１３】
前記裏側壁部（２０）の外側には、両刃体（３，４）の裏面（１２）間の想定摺接面（Ｅ）に対する前記他方の刃体（４）の表面（１３）の距離（Ｓ４）よりも、この想定摺接面（Ｅ）に対する距離（Ｓ２５）を大きく設定した当接面（２５ａ）を設けている。この発明では、取付部（１７）の裏側壁部（２０）を眉毛等に向けて使用した場合、この裏側壁部（２０）の当接面（２５ａ）が眉毛等の付近に当たるので、他方の刃体（４）の表面（１３）が眉毛等の付近に当たるのを防止することができるばかりではなく、眉毛等から他方の刃体（４）の表面（１３）までの距離を保つので、眉毛等の切り過ぎも防止することができる。
【００１４】
＊  請求項５の発明
この発明は、請求項１から請求項４のうちいずれかの請求項の発明を前提として下記のように構成されている。
【００１５】
前記挿着状態にある前記各櫛歯（１６）は閉状態（Ｑ）で前記他方の刃体（４）の背部（１１）から開閉動方向（Ｘ）へ突出している。この発明では、各櫛歯（１６）の先端部（１６ａ）と基端部（１６ｂ）との間の長さを大きくすることができるとともに、他方の刃体（４）でその刃先（１０ａ）と背部（１１）との間の間隔を狭くすることができる。
【００１６】
＊  請求項６の発明
この発明は、請求項１から請求項５のうちいずれかの請求項の発明を前提として下記のように構成されている。
【００１７】
前記挿着溝部（２１）は、前記一方の刃体（３）がその先端側から挿入される開放部（２２）に対し反対側になる閉塞部（２３）を有し、この一方の刃体（３）の先端側が挿着状態でこの閉塞部（２３）に面している。この発明では、一方の刃体（３）の先端側に対し挿着溝部（２１）を挿入する際に取付部（１７）の向きが開放部（２２）により特定されるので、一方の刃体（３）に対する櫛（２）の取り付けを容易に行うことができる。
【００１８】
＊  請求項７の発明
この発明は、請求項１から請求項６のうちいずれかの請求項の発明を前提として下記のように構成されている。
【００１９】
前記各櫛歯（１６）は、前記表側壁部（１９）から前記他方の刃体（４）の裏面（１２）側へ屈曲された屈曲部（２６）と、この屈曲部（２６）からこの他方の刃体（４）の裏面（１２）に沿って延設された延設部（２７）とを有している。この屈曲部（２６）に対し両刃体（３，４）の開閉動方向（Ｘ）で隣接する空隙（２８）をこの延設部（２７）に対し刃先（１０ａ）に沿って隣接させている。この表側壁部（１９）の外側には、両刃体（３，４）の裏面（１２）間の想定摺接面（Ｅ）に対する前記一方の刃体（３）の表面（１３）の距離（Ｓ１３）よりも、この想定摺接面（Ｅ）に対する距離（Ｓ１９）を大きく設定した当接面（１９ａ）を設けている。この発明では、取付部（１７）の表側壁部（１９）を眉毛等に向けて使用した場合、この表側壁部（１９）の当接面（１９ａ）が眉毛等の付近に当たるので、空隙（２８）により各櫛歯（１６）が眉毛等の付近に当たるのを防止することができるばかりではなく、眉毛等から一方の刃体（３）の表面（１３）までの距離を保つので、眉毛等の切り過ぎも防止することができる。
【００２０】
＊  請求項８の発明
この発明は、請求項１から請求項７のうちいずれかの請求項の発明を前提として下記のように構成されている。
【００２１】
前記鋏本体（１）において両刃体（３，４）は開閉動中心部（５）よりも先端側に設けられているとともに両柄部（６，７）は開閉動中心部（５）よりも基端側に設けられている。この両刃体（３，４）は、それぞれ、開閉動中心部（５）から延びる支持部（８）と、この支持部（８）から延びる刃部（９）とを備えている。他方の刃体（４）では、刃部（９）の背部（１１）を支持部（８）の背部（１１）に対し背側へずらすとともに、刃部（９）の腹部（１０）にある刃先（１０ａ）を支持部（８）の腹部（１０）に対し背側へずらしている。前記一方の刃体（３）の刃先（１０ａ）は閉状態（Ｑ）で前記他方の刃体（４）における刃先（１０ａ）と背部（１１）との間に位置するとともに、前記他方の刃体（４）の刃先（１０ａ）は閉状態（Ｑ）で前記一方の刃体（３）における刃先（１０ａ）と背部（１１）との間に位置している。前記一方の刃体（３）の裏面（１２）は閉状態（Ｑ）で他方の刃体（４）の刃先（１０ａ）と一方の刃体（３）の背部（１１）との間で開放されて前記裏側壁部（２０）に面し、前記他方の刃体（４）の裏面（１２）は閉状態（Ｑ）で一方の刃体（３）の刃先（１０ａ）と他方の刃体（４）の背部（１１）との間で開放されて前記各櫛歯（１６）に面している。この発明では、各櫛歯（１６）に面する他方の刃体（４）の裏面（１２）の面積を大きく取ることができる。
【００２２】
＊  請求項９の発明
この発明は、請求項１から請求項８のうちいずれかの請求項の発明を前提として下記のように構成されている。
【００２３】
前記鋏本体（１）において両刃体（３，４）は開閉動中心部（５）よりも先端側に設けられているとともに両柄部（６，７）は開閉動中心部（５）よりも基端側に設けられている。この両柄部（６，７）に設けた把持部（１５）が閉状態（Ｑ）で互いに当接する当接部（１５ａ）とこの開閉動中心部（５）とを結ぶ想定線（Ｍ）に対し、前記挿着状態で前記各櫛歯（１６）の先端部（１６ａ）間を結ぶ想定線（Ｆ）を両刃体（３，４）の開閉動方向（Ｘ）へ傾斜させた。この発明では、眉毛等に各櫛歯（１６）を当てがった際に両柄部（６，７）が傾くので、両刃体（３，４）の開閉動作が行い易くなる。
【００２４】
＊  請求項１０の発明
この発明は、請求項１から請求項９のうちいずれかの請求項の発明を前提として下記のように構成されている。
【００２５】
前記鋏本体（１）において両刃体（３，４）は開閉動中心部（５）よりも先端側に設けられているとともに両柄部（６，７）は開閉動中心部（５）よりも基端側に設けられている。この両柄部（６，７）に設けた把持部（１５）が閉状態（Ｑ）で互いに当接する当接部（１５ａ）とこの開閉動中心部（５）とを結ぶ想定線（Ｍ）に対し、一方の刃体（３）の刃先（１０ａ）の先端部（３ａ）とこの開閉動中心部（５）とを結ぶ想定線（Ｎ３）と、他方の刃体（４）の刃先（１０ａ）の先端部（４ａ）とこの開閉動中心部（５）とを結ぶ想定線（Ｎ４）とを、共に、両刃体（３，４）の開閉動方向（Ｘ）へ傾斜させた。この発明では、眉毛等に各櫛歯（１６）を当てがった際に両柄部（６，７）が傾くので、両刃体（３，４）の開閉動作が行い易くなる。
【００２６】
【発明の実施の形態】
以下、本発明の一実施形態にかかる櫛付き鋏について図１〜６を参照して説明する。
【００２７】
図１，３，４に示すように、この櫛付き鋏は鋏本体１と櫛２とを備えている。この鋏本体１においては、両刃体３，４が開閉動中心部５よりも先端側に設けられているとともに、両柄部６，７が開閉動中心部５よりも基端側に設けられ、この両刃体３，４と両柄部６，７とはこの開閉動中心部５を中心に回動して開状態Ｐと閉状態Ｑとを取る。
【００２８】
前記両刃体（一方の刃体３及び他方の刃体４）は、それぞれ、開閉動中心部５から延びる支持部８と、この支持部８から延びる刃部９とを備えている。この両刃体３，４は、支持部８と刃部９とにおいてそれぞれ、開状態Ｐで互いに対向する腹部１０と、この腹部１０に対し開閉動方向Ｘで反対側になる背部１１と、閉状態Ｑで互いに摺接する裏面１２と、この裏面１２に対し開閉動方向Ｘに対し直交する厚み方向Ｙで反対側になる表面１３とを備えている。この両刃体３，４の支持部８において腹部１０には刃先１０ａが形成されている。
【００２９】
図２，５にも示すように、前記一方の刃体３の刃先１０ａは閉状態Ｑで前記他方の刃体４における刃先１０ａと背部１１との間に位置するとともに、この他方の刃体４の刃先１０ａは閉状態Ｑでこの一方の刃体３における刃先１０ａと背部１１との間に位置している。この一方の刃体３の裏面１２は閉状態Ｑで他方の刃体４の刃先１０ａと一方の刃体３の背部１１との間で開放され、この他方の刃体４の裏面１２は閉状態Ｑで一方の刃体３の刃先１０ａと他方の刃体４の背部１１との間で開放されている。この他方の刃体４では、支持部８の背部１１の想定延長線Ｌ１１に対し刃部９の背部１１を距離Ｓ１１だけ背側へずらしているとともに、支持部８の腹部１０の想定延長線Ｌ１０に対し刃部９の腹部１０の刃先１０ａを距離Ｓ１０だけ背側へずらしている。この一方の刃体３の表面１３には凹条部１４（凹部）が刃先１０ａに沿って延設されている。前記両柄部６，７に設けられた把持環１５（把持部）が閉状態Ｑで互いに当接する当接部１５ａと前記開閉動中心部５の回動中心５ａとを結ぶ想定線Ｍに対し、一方の刃体３の刃先１０ａの先端部３ａとこの回動中心５ａとを結ぶ想定線Ｎ３の先端側が、両刃体３，４の開閉動方向Ｘで背側へ傾斜している。この想定線Ｍに対し、他方の刃体４の刃先１０ａの先端部４ａとこの回動中心５ａとを結ぶ想定線Ｎ４の先端側が、両刃体３，４の開閉動方向Ｘで腹側へ傾斜している。
【００３０】
図２，５，６にも示すように、前記櫛２は、プラスチックにより成形され、各櫛歯１６を有し、前記一方の刃体３の先端側に対し取付部１７で着脱可能に取り付けられている。この取付部１７は背側壁部１８と表側壁部１９と裏側壁部２０とにより断面コ字形状をなし、これらの壁部１８，１９，２０間にはこの一方の刃体３がその刃先１０ａに沿って挿嵌される挿着溝部２１が形成されている。この挿着溝部２１は、この一方の刃体３がその先端側から挿入される開放部２２に対し反対側になる閉塞部２３を有している。この挿着溝部２１内で表側壁部１９の内側には凸条部２４（凸部）がこの開放部２２から閉塞部２３にわたり延設されている。この裏側壁部２０の外側には突条部２５（突部）がこの凸条部２４に沿って延設されている。前記各櫛歯１６は、この表側壁部１９から屈曲された屈曲部２６と、この屈曲部２６から延設された延設部２７とを有している。この各櫛歯１６の延設部２７は前記背側壁部１８及び挿着溝部２１に対し両刃体３，４の開閉動方向Ｘで隣接している。
【００３１】
前記櫛２を前記一方の刃体３に取り付けた挿着状態では、櫛２と両刃体３，４とは下記＊の位置関係にある。
＊  櫛２の取付部１７で挿着溝部２１には一方の刃体３がその刃先１０ａに沿って着脱可能に挿嵌される。その場合、この取付部１７の背側壁部１８がこの一方の刃体３の背部１１に面し、この取付部１７の表側壁部１９がこの一方の刃体３の表面１３に接触して面し、この取付部１７の裏側壁部２０がこの一方の刃体３の裏面１２に接触して面する。この挿嵌時には同時に、この一方の刃体３の表面１３にある凹条部１４とこの表側壁部１９の内側にある凸条部２４とが互いに嵌め込まれ、この挿着溝部２１にこの一方の刃体３をその刃先１０ａに沿って案内するとともに、この取付部１７がこの一方の刃体３からその背部１１側へ抜け落ちるのを阻止する。
【００３２】
＊  櫛２の各櫛歯１６は、一方の刃体３の刃先１０ａに両刃体３，４の開閉動方向Ｘで隣接し、閉状態Ｑで、裏側壁部２０に対し開閉動方向Ｘで隣接する他方の刃体４の裏面１２に近接して小間隙Ｇをあけて面し、一方の刃体３の刃先１０ａに沿って並べられ、他方の刃体４の背部１１から開閉動方向Ｘへ突出する。他方の刃体４の背部１１は、閉状態Ｑで、各櫛歯１６の先端部１６ａとその基端部１６ｂとの間に位置する。
【００３３】
＊  裏側壁部２０の外側にある突条部２５でその頂上部に設けられた当接面２５ａが閉状態Ｑで両刃体３，４の裏面１２間の想定摺接面Ｅに対しなす距離Ｓ２５は、この想定摺接面Ｅに対する他方の刃体４の表面１３の距離Ｓ４よりも、大きく設定されている。
【００３４】
＊  各櫛歯１６の屈曲部２６は閉状態Ｑで他方の刃体４の裏面１２側へ屈曲され、各櫛歯１６の延設部２７はこの他方の刃体４の裏面１２に沿って延設され、この屈曲部２６に対し両刃体３，４の開閉動方向Ｘで隣接する空隙２８がこの延設部２７に対し刃先１０ａに沿って隣接している。この表側壁部１９に設けられた当接面１９ａが閉状態Ｑで両刃体３，４の裏面１２間の想定摺接面Ｅに対しなす距離Ｓ１９は、この想定摺接面Ｅに対する一方の刃体３の表面１３の距離Ｓ１３よりも、大きく設定されている。
【００３５】
＊  両柄部６，７の把持環１５が閉状態Ｑで互いに当接する当接部１５ａと開閉動中心部５の回動中心５ａとを結ぶ想定線Ｍに対し、挿着状態で各櫛歯１６の先端部１６ａ間を結ぶ想定線Ｆの先端側が、両刃体３，４の開閉動方向Ｘで一方の刃体３の背側へ傾斜している。
【００３６】
このように構成された櫛付き鋏は、例えば下記のようにして使用する。
両柄部６，７の把持環１５を右手で把持するとともに、取付部１７の表側壁部１９及び各櫛歯１６を一方の眉毛に向けた状態で、この表側壁部１９の当接面１９ａを顔面に当てがい、下方へ傾斜した両柄部６，７により両刃体３，４を互いに開閉動させると、各櫛歯１６から突出した一方の眉毛を切ることができる。ちなみに、その状態のまま鋏をずらせば、他方の眉毛を切ることができる。
【００３７】
また、両柄部６，７を左手で把持するとともに、取付部１７の裏側壁部２０を一方の眉毛に向けた状態で、この裏側壁部２０の突条部２５の当接面２５ａを顔面に当てがい、下方へ傾斜した両柄部６，７により両刃体３，４を互いに開閉動させると、一方の眉毛を切ることができる。ちなみに、その状態のまま鋏をずらせば、他方の眉毛を切ることができる。
【００３８】
なお、この実施形態では一方の刃体３の表面１３に凹条部１４を形成するとともに表側壁部１９の内側に凸条部２４を形成したが、それに代えて、一方の刃体３の裏面１２に凹条部を形成するとともに裏側壁部２０の内側に凸条部を形成したり、それらの両方共に凹条部及び凸条部を形成してもよい。逆に、一方の刃体３の表面１３に凸条部を形成するとともに表側壁部１９の内側に凹条部を形成してもよい。
【図面の簡単な説明】
【図１】（ａ）は本実施形態にかかる櫛付き鋏を示す正面図であり、（ｂ）は同じく側面図であり、（ｃ）は同じく背面図である。
【図２】（ａ）は図１（ａ）の部分拡大図であり、（ｂ）は図１（ｃ）の部分拡大図である。
【図３】（ａ）は図１（ａ）の櫛付き鋏において鋏本体から櫛を取り外した状態を示す正面図であり、（ｂ）は（ａ）の鋏本体を開いた状態を示す正面図である。
【図４】（ａ）は図１（ｃ）の櫛付き鋏において鋏本体から櫛を取り外した状態を示す背面図であり、（ｂ）は（ａ）の鋏本体を開いた状態を示す背面図である。
【図５】（ａ）は図１（ａ）のＡ―Ａ線拡大断面図であり、（ｂ）は図１（ａ）のＢ―Ｂ線矢視部分断面図である。
【図６】（ａ）は本実施形態にかかる櫛を示す拡大正面図であり、（ｂ）は同じく拡大側面図であり、（ｃ）は同じく拡大背面図である。
【符号の説明】
１…鋏本体、２…櫛、３…一方の刃体、３ａ…先端部、４…他方の刃体、４ａ…先端部、５…開閉動中心部、６，７…柄部、８…支持部、９…刃部、１０…腹部、１０ａ…刃先、１１…背部、１２…裏面、１３…表面、１４…凹条部（凹部）、１５…把持環、１５ａ…当接部、１６…櫛歯、１６ａ…先端部、１７…取付部、１８…背側壁部、１９…表側壁部、１９ａ…当接面、２０…裏側壁部、２１…挿着溝部、２２…開放部、２３…閉塞部、２４…凸条部（凸部）、２５…突条部、２５ａ…当接面、２６…屈曲部、２７…延設部、２８…空隙、Ｘ…開閉動方向、Ｙ…厚み方向、Ｐ…開状態、Ｑ…閉状態、Ｅ…両刃体間の想定摺接面、Ｇ…小間隙、Ｆ，Ｍ，Ｎ３，Ｎ４…想定線、Ｓ４，Ｓ１０，Ｓ１１，Ｓ１３，Ｓ１９，Ｓ２５…距離。
【図１】
2004159962.tif 000003
【図２】
2004159962.tif 000004
【図３】
2004159962.tif 000005
【図４】
2004159962.tif 000006
【図５】
2004159962.tif 000007
【図６】
2004159962.tif 000008